(57)【要約】      （修正有）【課題】磁場発生器を人体に密着させて配置することができる磁場発生装置を提供する。【解決手段】一列に並ぶように連結された複数の磁場発生器１０Ａ、１０Ｂ、１０Ｃを有する磁場発生装置１であって、隣接する磁場発生器１０Ａ、１０Ｂ、１０Ｃ同士が連結部によって連結されており、連結部は、隣接する磁場発生器１０Ａ、１０Ｂ、１０Ｃ同士が、双方向に屈曲可能となるように連結するものである。連結部において、隣接する磁場発生器１０Ａ、１０Ｂ、１０Ｃ同士を所望の角度に屈曲させることができるから、人体のおいて表面の凹凸が大きい部分であっても、磁場発生器１０Ａ、１０Ｂ、１０Ｃをその部分の表面に密着させることができる。【選択図】図１
0003151362.tif 000002
【実用新案登録請求の範囲】
【請求項１】
一列に並ぶように連結された複数の磁場発生器を有する磁場発生装置であって、
隣接する磁場発生器同士が連結部によって連結されており、
該連結部は、
隣接する磁場発生器同士が、双方向に屈曲可能となるように連結するものである
ことを特徴とする磁場発生装置。
【請求項２】
前記連結部には、
隣接する磁場発生器同士を屈曲させるときに、屈曲抵抗を発生させる抵抗部材を備えている
ことを特徴とする請求項１記載の磁場発生装置。
【請求項３】
前記磁場発生器には、磁場発生手段が収容されており、
各磁場発生手段は、
Ｎ極とＳ極が、該磁場発生装置の軸を挟むように配設されており、
該磁場発生装置の軸方向に沿ってＮ極とＳ極とが交互に並ぶように配設されている
ことを特徴とする請求項１記載の磁場発生装置。
【請求項４】
前記磁場発生手段が、交流型磁場発生手段である
ことを特徴とする請求項３記載の磁場発生装置。
【請求項５】
前記磁場発生装置の両端に位置する磁場発生器には、該両端に位置する磁場発生器同士を連結する連結ジョイントが設けられている
ことを特徴とする請求項１記載の磁場発生装置。
【考案の詳細な説明】
【技術分野】
【０００１】
本考案は、磁場発生装置に関する。さらに詳しくは、磁力によって血行を良くし、人の健康増進などに用いられる磁場発生装置に関する。
【背景技術】
【０００２】
従来、健康器具としての磁場発生装置は多数開発されており、ベッドに多数の磁場発生器を取付けた大形の装置から、数個の磁場発生器を連結しただけの小形の装置まで、様々なタイプのものがある。
ところで、磁場発生装置によって形成される磁場は、磁場発生装置が大きければその領域は大きくなり、磁場発生装置が小さくなれその領域も小さくなる。よって、小形の磁場発生装置から人体に効果的に磁場を供給するには、磁場発生装置をできる限り人体に接近させる必要がある。
【０００３】
人体に接近させた状態で配置できる小形の磁気治療器として、特許文献１に記載のものがある。
特許文献１の磁気治療器は、複数個の磁場発生器を互いに連結したものであり、隣接する磁場発生器同士は一方向にのみ屈曲可能となるように連結されている。
このため、隣接する磁場発生器の屈曲角度を調整すれば、磁気治療器の形状をある程度は人体の形状に近づけることができるので、複数の磁場発生器を人体に接近させた状態で配置することができる。
【０００４】
しかるに、特許文献１の磁気治療器の場合、隣接する磁場発生器を連結する部分が一方向にしか屈曲しないので、磁場発生器の屈曲角度を調整しても、形成できる磁気治療器の形状は限られる。このため、腕等であれば磁場発生器を人体に接近させた状態で配置することができるものの、腰等のように表面に凹凸がある部分では磁場発生器を人体表面に接近させることが難しくなる。すると、磁場発生器との距離が離れている部位では人体に十分な磁気を供給できず、磁気による治療効果が低下してしまう。
【先行技術文献】
【特許文献】
【０００５】
【特許文献１】国際公開第９５/２０９９４号パンフレット
【考案の概要】
【考案が解決しようとする課題】
【０００６】
本考案は上記事情に鑑み、磁場発生器を人体に密着させて配置することができる磁場発生装置を提供することを目的とする。
【課題を解決するための手段】
【０００７】
第１考案の磁場発生装置は、一列に並ぶように連結された複数の磁場発生器を有する磁場発生装置であって、隣接する磁場発生器同士が連結部によって連結されており、該連結部は、隣接する磁場発生器同士が、双方向に屈曲可能となるように連結するものであることを特徴とする。
第２考案の磁場発生装置は、第１考案において、前記連結部には、隣接する磁場発生器同士を屈曲させるときに、屈曲抵抗を発生させる抵抗部材を備えていることを特徴とする。
第３考案の磁場発生装置は、第１考案において、前記磁場発生器には、磁場発生手段が収容されており、各磁場発生手段は、Ｎ極とＳ極が、該磁場発生装置の軸を挟むように配設されており、該磁場発生装置の軸方向に沿ってＮ極とＳ極とが交互に並ぶように配設されていることを特徴とする。
第４考案の磁場発生装置は、第３考案において、前記磁場発生手段が、交流型磁場発生手段であることを特徴とする。
第５考案の磁場発生装置は、第１考案において、前記磁場発生装置の両端に位置する磁場発生器には、該両端に位置する磁場発生器同士を連結する連結ジョイントが設けられていることを特徴とする。
【考案の効果】
【０００８】
第１考案によれば、連結部において、隣接する磁場発生器同士を所望の角度に屈曲させることができるから、人体のおいて表面の凹凸が大きい部分であっても、磁場発生器をその部分の表面に密着させることができる。
第２考案によれば、人が保持していなくても、抵抗部材によって磁場発生器同士を所望の角度に屈曲させた状態に保つことができるから、磁場発生器を人体の表面に密着させた状態で維持することが容易になる。
第３、第４考案によれば、同一の磁場発生手段のＮ極とＳ極との間だけでなく、隣接する磁場発生器に設けられている磁場発生手段における反対の極との間にも、磁場を形成することができる。よって、磁場が形成されている領域を広くできるから、人体の表面に密着させたときに、より広範囲にわたって磁気を照射することができる。
第５考案によれば、連結ジョイントによって同一の磁気発生器の両端を連結すれば、磁場発生装置を人体の所定の位置に固定することができる。また、連結ジョイントによって２つの磁気発生器を繋ぐことも可能となる。
【図面の簡単な説明】
【０００９】
【図１】本実施形態の磁気発生器１の概略説明図であって、（Ａ）は平面図であり、（Ｂ）はＢ矢視部分拡大図である。
【図２】磁場発生器１０の概略単体説明図である。
【図３】本実施形態の磁気発生器１の概略側面図であって、（Ａ）は伸ばしている状態の説明図であり、（Ｂ）は屈曲させている状態の説明図である。
【図４】本実施形態の磁気発生器１の部分断面図である。
【図５】他の実施形態の磁気発生器１の概略平面図である。
【図６】本実施形態の磁気発生器１の使用状況の概略説明図であって、（Ａ）は単体の使用状況説明図であり、（Ｂ）は２つを組み合わせた状態の使用状況説明図である。
【図７】他の実施形態の磁気発生器１の概略側面図であって、（Ａ）は単体側面図であり、（Ｂ）は２つを組み合わせた状態の側面図である。
【考案を実施するための形態】
【００１０】
つぎに、本考案の実施形態を図面に基づき説明する。
図１において、符号１は本実施形態の磁場発生装置を示している。図１に示すように本実施形態の磁場発生装置１は、複数の磁場発生器１０が一列に並ぶように連結して形成されたものである。
【００１１】
各磁場発生器１０には、それぞれ磁場発生手段２０が収容されている。各磁場発生手段２０は、例えば、永久磁石や交流型磁場発生手段であり、その２つの磁極となる部分が磁場発生装置１の軸ＣＬを挟むように配置されている。図１であれば、磁極となる部分が、軸ＣＬの右側と左側にそれぞれ位置するように配置されている。
【００１２】
また、本実施形態の磁場発生装置１では、隣接する磁場発生器１０同士が、相対的に双方向に屈曲できるように連結されている。
具体的には、図１および図２に示すように、磁場発生器１０は、その一端に連結ベース１２を備えており、この連結ベース１２の両側面にはそれぞれ軸部１３が設けられている。一方、磁場発生器１０の他端には、他の磁場発生器１０の連結ベース１２を収容できる凹部10gを備えた掛合部１１が形成されている。そして、掛合部１１において、その凹部10gを挟むように互いに対向する面11sには、それぞれ前記軸部１３とほぼ同径の軸受部10hが形成されている。
かかる構造であるから、軸部１３が軸受部10hに収容された状態となるように、一の磁場発生器１０の連結ベース１２を他の磁場発生器１０の凹部10gに配置すれば、両者を双方向に屈曲可能に連結することができるのである。
上記の掛合部１１、連結ベース１２、軸部１３が特許請求の範囲にいう連結部を構成している。
【００１３】
以上のごとき構成であるから、本実施形態の磁場発生装置１は、隣接する磁場発生器１０同士を所望の角度に屈曲させることができる（図３参照）。よって、人体において表面の凹凸が大きい部分、例えば、腰等に磁場発生装置１を配置するときでも、隣接する磁場発生器１０同士を両者間で屈曲させれば、磁場発生装置１をその表面の凹凸にあった形状とすることができる。すると、磁場発生器１０をその部分の表面に密着させることができるから、人体に十分な磁気を供給でき、磁気による治療効果を高くすることができる。
【００１４】
また、図１（Ｂ）に示すように、連結ベース１２と掛合部１１との間、例えば、連結ベース１２の先端と掛合部１１における連結ベース１２の先端と対向する面（以下、単に対向面という）との間に、例えば、シリコン（登録商標）製のシート等のように、両者間の相対的な移動は可能とするが、その移動に対して抵抗を発生させる抵抗部材１５を配置してもよい。つまり、隣接する磁場発生器１０同士を両者間で屈曲させるときに、抵抗となるような抵抗部材１５を配置してもよい。この場合には、人が保持していなくても、抵抗部材１５によって、隣接する磁場発生器１０同士が相対的に移動することを防ぐことができる。すると、隣接する磁場発生器１０同士を所望の角度に屈曲させれば、その角度のまま維持することができるから、磁場発生器１０を人体の表面に密着させた後、その状態に維持することが容易になる。
【００１５】
より具体的に説明すると、図２に示すように、磁場発生器１０では、磁場発生装置１の軸ＣＬ方向において、掛合部１１における凹部10gの中心軸から対向面までの距離Ｌ１が、軸部１３の中心軸から連結ベース１２の先端面までの距離Ｌ２よりも長くなるように形成されている。そして、シート状の抵抗部材１５として、その厚さが、磁場発生器１０を連結したときにおける対向面から連結ベース１２の先端面までの距離Ｌ３（図１（Ｂ））よりも厚いものを配置している。この場合、磁場発生器１０を連結すると、抵抗部材１５は圧縮されるから、抵抗部材１５にはこの圧縮力に対する反発力が発生する。すると、この反発力が隣接する磁場発生器１０同士の相対的な移動の抵抗となるから、隣接する磁場発生器１０同士を所望の角度に屈曲させれば、その角度を維持することができるのである。
【００１６】
さらに、図１に示すように、本実施形態の磁場発生装置１において、その軸方向の両端に位置する磁場発生器10A，10Cには、両者を連結するための連結ジョイントを設けてもよい。
例えば、図１の磁場発生手段10A，10Cには、ひもやベルト等を引っ掛けることができる棒状の掛合部材10dが設けられている。かかる掛合部材10dを設ければ、両方の掛合部材10dにひもやベルト等を引っ掛けた状態で磁場発生装置１を人体の所定の位置に配置し、ひもやベルト等によって磁場発生手段10A，10C間を接近させて締め付け固定すれば、磁場発生装置１を人体の所定の位置に固定することができる。
また、図６（Ａ）に示すように、磁場発生手段10A，10C同士を接近させて磁場発生装置１を輪状にすれば、磁気を照射する部分を包囲した状態で磁場発生装置１を固定しておくことができるし、その部分の周囲全面から磁気を照射することも可能となる。
【００１７】
また、掛合部材10dを設けておけば、ひもやベルト等によって、一の磁場発生装置１と他の磁場発生装置１を連結することも可能である。例えば、一の磁場発生装置１における磁場発生手段10Aと他の磁場発生装置１における磁場発生手段10Cとをひもやベルト等によって連結すれば、より長尺な磁場発生装置１を形成することができる。すると、一つの磁場発生装置１では全面を包囲することができない部分（例えば、胴部等）でも、その部分を包囲した状態で磁場発生装置１を固定しておくことができるし、その部分の周囲全面から磁気を照射することも可能となる（図６（Ｂ）参照）。
【００１８】
（磁場発生手段２０の配置について）
各磁場発生器１０内に配置する磁場発生手段２０は、上述したように、２つの磁極となる部分が磁場発生装置１の軸ＣＬを挟むように配置されている。そして、各磁場発生手段２０は、磁場発生装置１の軸ＣＬ方向に沿って反対の極が交互に並ぶように制御されている。
【００１９】
図１に基づいて具体的に説明すると、磁場発生手段２０が永久磁石の場合には、隣接する磁場発生器１０では、磁場発生手段２０のＮ極とＳ極とが互いに反対側に位置するように配設される。例えば、磁場発生器10A内の磁場発生手段２０において軸ＣＬに対して右側にＳ極、左側にＮ極が位置するように配置されれば、磁場発生器10Aと隣接する磁場発生器10B内の磁場発生手段２０では、軸ＣＬに対して右側にＮ極、左側にＳ極が位置するように配置されるのである。
【００２０】
また、磁場発生手段２０が交流型磁場発生手段の場合には、磁場発生手段２０の磁極は周期的に交代するため、以下のように、各磁場発生手段２０の作動が制御される。
例えば、磁場発生器10A内の磁場発生手段２０において軸ＣＬに対して右側にＳ極、左側にＮ極が配置されている状態では、磁場発生器10Aと隣接する磁場発生器10B内の磁場発生手段２０では軸ＣＬに対して右側にＮ極、左側にＳ極が配置されるように制御される。そして、他の磁場発生器10B，10C内の磁場発生手段２０についても、図１に示すように、軸ＣＬの方向に沿って順に、Ｎ極とＳ極が交互に並ぶように制御される。
そして、磁場発生器10A内の磁場発生手段２０におけるＮ極とＳ極が入れ替われば、他の磁場発生手段２０も同時に、そのＮ極とＳ極が入れ替わるように制御されるのである。
【００２１】
以上のごとく、各磁場発生手段２０を配置したり（永久磁石の場合）、その作動を制御したりすれば（交流型磁場発生手段の場合）、隣接する磁場発生手段２０において、軸ＣＬと同じ側に位置するＮ極とＳ極との間にも磁場を形成することができ（図２（Ａ）参照）、磁場が形成される領域を広くできる。すると、磁場発生装置１を人体の表面に密着させたときに、より広範囲にわたって磁気を照射することができる。
【００２２】
なお、磁場発生手段２０として、交流型磁場発生手段を使用する場合には、その作動のために電力を供給しなければならない。磁場発生器１０の内部に電源（例えばバッテリなど）を設けて磁場発生手段２０に電力を供給してもよいのであるが、通常は外部電源から各交流型磁場発生手段に電力を供給する。
この場合、外部電源から電力を供給する電源コードを、１つの磁場発生器１０（図１では磁場発生器10A）の磁場発生手段２０に設け、この磁場発生器１０から他の磁場発生器１０（図１では磁場発生器10B，10C）の磁場発生手段２０に電力を供給するようにすることが装置の好ましい。
そして、磁場発生器１０に以下のごとき通路ａ，ｂを設け、この通路ａ，ｂ内に電力を供給する導線２１を配置すれば、隣接する磁場発生器１０間で屈曲させたときに、断線が生じることを防ぐことができる。
【００２３】
図４に示すように、通路ｂは、前記軸部１３と、磁場発生手段２０を収容する空間10fとを連通する通路であり、連結ベース１２内に設けられている。この通路ｂは、軸部１３の軸端において外部と連通している。
一方、通路ａは、磁場発生手段２０を収容する空間10fと前記軸受部10hとを連通する通路であり、掛合部１１内に設けられている。この通路ａは、前記軸受部10hにおけるその軸方向の内底部において、軸受部10hと連通している。そして、この通路ａの軸受部10hにおける開口部は、軸部１３が軸受部10hに配置されたときに、通路ｂの軸部１３の軸端における開口部とほぼ対向する位置に形成されている。
【００２４】
以上のごとき構造とし通路ａ，ｂ内に導線２１を配線をすれば、導線２１は、隣接する磁場発生器１０間で屈曲させたときに軸部１３が回転する回転軸上に位置する。すると、隣接する磁場発生器１０間で屈曲させても、導線２１には、ねじるような力は加わっても、折り曲げるような力は加わらないので、断線が生じる可能性を低くすることができる。
【００２５】
（磁場発生手段１０の形状が異なる例）
また、上記例（図１等）では、磁場発生手段１０が四角形の場合を説明したが、磁場発生手段１０の形状は四角形に限られないのは、いうまでもない。例えば、図５に示すように、磁場発生手段１０として、平面視でその側辺が曲線状になった形状としてもよいし、平面視でほぼ円形としてもよい。また、三角形や五角形などとしてもよく、磁場発生手段１０の平面視の形状はとくに限定されない。  
【００２６】
また、図７（Ｂ）に示すように、磁場発生装置１は、一列に並んだ磁場発生手段１０の表面（磁場が放出される面）によって、凹面状の曲面１ｓが形成されるようになっていてもよい。かかる形状とする場合、曲面１ｓの形状を磁場発生装置１を配置する部分の表面（配置面、例えば、人の体表面等）と近似する形状にしておけば、磁場発生装置１を配置したときに、配置面に曲面１ｓを密着させることができる。よって、磁場発生装置１を配置した部分に、より効果的に磁気を供給することができる。
また、かかる形状の磁場発生装置１の場合、２つの磁場発生装置１の曲面１ｓ同士を対向させれば、２つの曲面１ｓによって囲まれた部分には、周囲から磁気を照射することができる（図７（Ａ））。
さらに、図７（Ａ）に示すような形で２つの磁場発生装置１を連結する場合には、掛合部材10dにひもやベルト等を引っ掛けて連結してもよいが、２つの磁場発生装置１の両端に位置する磁場発生手段10A，10Cの表面にネオジム磁石ｍ等の連結手段を設けておけば、ネオジム磁石等によって、２つの磁場発生装置１を簡単に連結できるので、好適である。
【産業上の利用可能性】
【００２７】
本考案の磁場発生装置は、磁力によって血行を良くし、人の健康増進などに用いられる磁気治療器に適している。
【符号の説明】
【００２８】
１        磁場発生装置
１０        磁場発生器
１０ｈ      軸受部
１３        軸部
１５        抵抗部材
２０        磁場発生手段
【図１】
0003151362.tif 000003
【図２】
0003151362.tif 000004
【図３】
0003151362.tif 000005
【図４】
0003151362.tif 000006
【図５】
0003151362.tif 000007
【図６】
0003151362.tif 000008
【図７】
0003151362.tif 000009